(57)【特許請求の範囲】
【請求項１】
第１入力端及び第２入力端を備えていて前記第１入力端及び前記第２入力端のそれぞれにおいて受信する信号を増幅する増幅部を備え、
前記第１入力端は、音声として発せられるべき情報を含む音声信号である第１信号を受信し、
前記第２入力端は、前記第１入力端による前記第１信号の受信の無いときに、音声として発せられるべき情報を含む音声信号である第２信号を受信し、
前記第１入力端は、さらに、前記第２信号に重畳する雑音信号に対応する信号を含む基準信号を受信し、
前記増幅部は、前記第２信号の増幅において前記基準信号を用いて前記雑音信号の増幅を抑制する、信号処理回路。
【請求項２】
前記第１入力端及び前記第２入力端は、互いに異なる信号源で生成された前記第１信号及び前記第２信号をそれぞれ受信する、請求項１記載の信号処理回路。
【請求項３】
前記第１入力端及び前記第２入力端のうちの一方は、ＰＷＭ信号の復調回路を備えている、請求項１又は２記載の信号処理回路。
【請求項４】
前記増幅部は前記基準信号に対する第１ゲインを有すると共に、前記第２信号に対して、前記第１ゲインと異なる第２ゲインを有している、請求項１〜３のいずれか１項に記載の信号処理回路。
【請求項５】
周囲環境の変化を検知して使用者に報せる警報器であって、
周囲環境の変化を検知する検知部と、
前記警報器の内部又は外部の情報に基づいて音響を発する報知部と、
前記報知部において発せられる音響の元となる音声信号を処理する音声信号処理部と、を備え、
前記音声信号処理部は、第１入力端及び第２入力端を備えていて前記第１入力端及び前記第２入力端のそれぞれに入力される信号を増幅する増幅部を備え、
前記第１入力端に、前記警報器内に保有するデータに基づく第１音声信号が入力され、
前記第２入力端に、前記第１入力端への前記第１音声信号の入力の無いときに、前記警報器の外部からの情報に基づく第２音声信号が入力され、
前記第１入力端に、さらに、前記第２音声信号に重畳する雑音信号に対応する信号を含む基準信号が入力され、
前記増幅部は、前記第２音声信号の増幅において前記基準信号を用いて前記雑音信号の増幅を抑制する、警報器。
【請求項６】
前記警報器の警報の発報を制御する第１制御部と、前記警報器と外部の機器との交信を制御する第２制御部と、をさらに備え、
前記第１制御部は、前記検知部の検知結果に基づいて前記第１音声信号を出力し、
前記第２制御部は、前記交信によって取得した情報に基づいて前記第２音声信号を生成して出力すると共に、前記基準信号を出力する、請求項５記載の警報器。
【請求項７】
前記第１制御部は、前記第１音声信号の出力時に前記第２制御部による前記第２音声信号及び前記基準信号の出力を停止させる、請求項６記載の警報器。
【発明の詳細な説明】
【技術分野】
【０００１】
本発明は信号処理回路及び警報器に関し、特に、二つの音声信号それぞれに基づく信号を出力する信号処理回路、及び、二つの音声信号それぞれに基づく音声を発する警報器に関する。
【背景技術】
【０００２】
各種電気機器の内部では、多くの電気信号が、当該電気機器を構成する要素又は機能ブロックにおいて生成又は受信され、各要素間又は各機能ブロック間で送受信され、及び／又は、各要素などにおいて増幅などの各種処理を施されることによって所定の機能が実現されている。従って、電気信号には、意図された通りの時期に意図された通りの信号レベルを有していることが求められる。しかし、各種電気機器内の電気信号には、マイコンなどの中央処理装置の動作速度の上昇、電気機器の用途の拡大に伴う内部電流の増大、及び、多様な通信をもたらす情報通信技術の発展などに伴って、意図せぬ雑音が重畳してしまうことがある。そのため、このような雑音による不具合が生じないように、ノイズをキャンセルする処理が行われることがある。例えば特許文献１では、外来のノイズに基づくノイズを意図的に生成して送信側で送信前にこのノイズを送信信号から差し引くことによって、外来ノイズが加わった送信後の信号を、結果的に外来ノイズの無い信号として受信側で受信し得るようにしている。
【０００３】
一方、各種電気機器の一種であって周囲環境を監視して異常を報せる警報器には、異常の発生時に音声によって異常を報知するものがある。例えば、警報器内のスピーカなどから発せられる音声の元となる音声信号は、主に警報器内で生成され、適宜所望の振幅に増幅されてスピーカで音声に変換される。例えば特許文献２には、主電池から補助電池への切り替えに応じて、音声信号を増幅する音声アンプの利得が増大され、スピーカの音量が増量される警報器が開示されている。
【先行技術文献】
【特許文献】
【０００４】
【特許文献１】特開平９−２７０７５７号公報
【特許文献２】特開２０１１−１４０６３号公報
【発明の概要】
【発明が解決しようとする課題】
【０００５】
電気機器内では、一つだけではなく二つ以上の音声信号が生成され、それぞれ前述したようなノイズをキャンセルするための処理や増幅などの処理を施されることがある。警報器においても、二つの音声信号が生成されることがある。このような二つ以上の音声信号それぞれに対してノイズキャンセルや増幅などの処理回路を設けると、電気機器の回路を複雑化させ、そのサイズを増大させたりコストを上昇させたりすることがある。特に音声信号では、増幅回路などの信号処理回路の複雑化と共にスピーカなどの音響発生装置の増設が必要になることがある。
【０００６】
本発明は、このような事情に鑑みてなされたもので、二以上の音声信号に対して少ない構成要素で所定の処理を施すことが可能な信号処理回路、及び、二以上の音声信号それぞれに基づく音声を少ない構成要素で適切に発することが可能な警報器を提供することを目的とする。
【課題を解決するための手段】
【０００７】
本発明の一実施形態の信号処理回路は、第１入力端及び第２入力端を備えていて前記第１入力端及び前記第２入力端のそれぞれにおいて受信する信号を増幅する増幅部を備え、前記第１入力端は、音声として発せられるべき情報を含む音声信号である第１信号を受信し、前記第２入力端は、前記第１入力端による前記第１信号の受信の無いときに、音声として発せられるべき情報を含む音声信号である第２信号を受信し、前記第１入力端は、さらに、前記第２信号に重畳する雑音信号に対応する信号を含む基準信号を受信し、前記増幅部は、前記第２信号の増幅において前記基準信号を用いて前記雑音信号の増幅を抑制する。
【０００８】
前記第１入力端及び前記第２入力端は、互いに異なる信号源で生成された前記第１信号及び前記第２信号をそれぞれ受信してもよい。
【０００９】
前記第１入力端及び前記第２入力端のうちの一方は、ＰＷＭ信号の復調回路を備えていてもよい。
【００１０】
前記増幅部は前記基準信号に対する第１ゲインを有すると共に、前記第２信号に対して、前記第１ゲインと異なる第２ゲインを有していてもよい。
【００１１】
本発明の一実施形態の警報器は、周囲環境の変化を検知して使用者に報せる警報器であって、周囲環境の変化を検知する検知部と、前記警報器の内部又は外部の情報に基づいて音響を発する報知部と、前記報知部において発せられる音響の元となる音声信号を処理する音声信号処理部と、を備え、前記音声信号処理部は、第１入力端及び第２入力端を備えていて前記第１入力端及び前記第２入力端のそれぞれに入力される信号を増幅する増幅部を備え、前記第１入力端に、前記警報器内に保有するデータに基づく第１音声信号が入力され、前記第２入力端に、前記第１入力端への前記第１音声信号の入力の無いときに、前記警報器の外部からの情報に基づく第２音声信号が入力され、前記第１入力端に、さらに、前記第２音声信号に重畳する雑音信号に対応する信号を含む基準信号が入力され、前記増幅部は、前記第２音声信号の増幅において前記基準信号を用いて前記雑音信号の増幅を抑制する。
【００１２】
前記警報器の警報の発報を制御する第１制御部と、前記警報器と外部の機器との交信を制御する第２制御部と、をさらに備え、前記第１制御部は、前記検知部の検知結果に基づいて前記第１音声信号を出力し、前記第２制御部は、前記交信によって取得した情報に基づいて前記第２音声信号を生成して出力すると共に、前記基準信号を出力してもよい。
【００１３】
前記第１制御部は、前記第１音声信号の出力時に前記第２制御部による前記第２音声信号及び前記基準信号の出力を停止させてもよい。
【発明の効果】
【００１４】
本発明によれば、二以上の電気信号に対して少ない構成要素で所定の処理を施すことができる。また、本発明によれば、警報器において、二以上の音声信号それぞれに基づく音声を少ない構成要素で適切に発することができる。
【図面の簡単な説明】
【００１５】
【図１】本発明の一実施形態の信号処理回路を概略的に示すブロック図である。
【図２】本発明の一実施形態の信号処理回路の構成例を示す回路図である。
【図３】本発明の一実施形態の信号処理回路が受信する第２信号の出力回路の一例を示す図である。
【図４】本発明の一実施形態の信号処理回路の入出力信号の一例を示す図である。
【図５】本発明の一実施形態の信号処理回路の他の例を示すブロック図である。
【図６】本発明の一実施形態の警報器の構成の一例を示すブロック図である。
【発明を実施するための形態】
【００１６】
以下、図面を参照し、本発明の一実施形態の信号処理回路を詳細に説明する。図１には、一実施形態の信号処理回路１が概略的に示されている。
【００１７】
図１に示されるように、信号処理回路１は増幅部２を備えている。増幅部２は、第１入力端２ａ及び第２入力端２ｂからなる一対の入力端２０を備えている。第１入力端２ａは第１信号Ｓ１を受信し、第２入力端２ｂは、第２信号Ｓ２を受信する。第２入力端２ｂは、第１入力端２ａによる第１信号Ｓ１の受信の無いときに第２信号Ｓ２を受信する。第１入力端２ａは、さらに、基準信号Ｓｒを受信する。基準信号Ｓｒは、第２信号Ｓ２に重畳する雑音信号に対応する信号（以下、「疑似雑音信号」ともいう）を含む信号である。
【００１８】
なお、第１及び第２の入力端２ａ、２ｂは、配線が結線されたりコネクタが連結されたりする物理的な「端子」であってもよく、増幅部２が実装される配線基板において増幅部２に接続される配線パターンであってもよい。また、第１入力端２ａ又は第２入力端２ｂが第１信号Ｓ１、第２信号Ｓ２、又は基準信号Ｓｒを「受信する」は、各入力端に直接入力された各信号を各入力端が受け取ることに加え、以下に述べるように、各入力端に備えられた入力回路に入力された各信号に基づく信号を、対応する各入力端が受け取ることを含んでいる。
【００１９】
図１の例では、第１入力端２ａに第１入力回路１１及び第３入力回路１３が備えられ、一方、第２入力端２ｂには第２入力回路１２が備えられている。第１信号Ｓ１は第１入力回路１１の入力端２ｃ（第３入力端）に入力され、第２信号Ｓ２は第２入力回路１２の入力端２ｄ（第４入力端）に入力され、基準信号Ｓｒは第３入力回路１３の入力端２ｅ（第５入力端）にそれぞれ入力される。第１入力端２ａは、第１入力回路１１を介して第１信号Ｓ１を受信し、第３入力回路１３を介して基準信号Ｓｒを受信する。第２入力端２ｂは、第２入力回路１２を介して第２信号Ｓ２を受信する。
【００２０】
第１〜第３の入力回路１１〜１３のそれぞれは、例えば、一対の入力端２０と、第１及び第２の信号Ｓ１、Ｓ２、並びに基準信号Ｓｒそれぞれの信号源とをＡＣカップリングするためのコンデンサ、及び／又は、後述するように、増幅部２のゲインを調整する電気抵抗などによって構成される。第１〜第３の入力回路１１〜１３それぞれの内部の構成はこれらに限定されず、各入力回路は任意の回路素子によって構成され得る。しかし、本実施形態において第１端子２ａ及び／又は第２端子２ｂに第１〜第３の入力回路１１〜１３のいずれかが備えられる場合でも、第１端子２ａ及び第２端子２ｂそれぞれへの各信号の入力を遮断するようなスイッチング素子は各入力回路に配置されない。例えば、第１入力回路１１の入力端２ｃから増幅部２の第１入力端２ａを介して第３入力回路１３の入力端２ｅまでの間にトランジスタやマルチプレクサなどのスイッチング素子は配置されない。
【００２１】
増幅部２は、第１信号Ｓ１及び第２信号Ｓ２それぞれを増幅する。なお、「増幅」には、１倍以下の増幅率による信号レベルの変換も含まれる。また増幅部２は、第２信号Ｓ２の増幅において基準信号Ｓｒを用いて第２信号Ｓ２に重畳する雑音信号の増幅を抑制する。すなわち、本実施形態では、第１信号Ｓ１及び第２信号Ｓ２それぞれを、一つの増幅手段（増幅部２）で増幅することができ、しかも、第２信号Ｓ２に重畳する雑音信号を意図せず増幅してしまうことを抑制することができる。以下に、より詳細に説明する。
【００２２】
増幅部２の一対の入力端２０は、所謂差動入力型の入力端であり、増幅部２は第１入力端２ａ及び第２入力端２ｂそれぞれに入力される信号の差分を増幅する差動増幅回路で構成される。第１入力端２ａには、第１信号Ｓ１が入力され、さらに基準信号Ｓｒが入力される。すなわち、第１入力端２ａは、第１信号Ｓ１及び基準信号Ｓｒによって共用され、これら両信号を受信する入力端として兼用される。第１入力端２ａは、第１信号Ｓ１の入力の無いとき（第１信号Ｓ１を受信しないとき）に基準信号Ｓｒを受信する。一方、第２入力端２ｂは、前述したように、第１入力端２ａによる第１信号Ｓ１の受信の無いときに第２信号Ｓ２を受信する。第１入力端２ａは、第２入力端２ｂが第２信号Ｓ２を受信するときに、基準信号Ｓｒを受信することができる。
【００２３】
基準信号Ｓｒは、第２信号Ｓ２に含まれる雑音信号（以下において「対象雑音信号」ともいう）に対応する疑似雑音信号が、一定レベルの信号（直流信号）に重畳した信号である。ここで、対象雑音信号に「対応する」は、少なくとも対象雑音信号と略同期すると共に信号レベルの正負に関して対象雑音信号と同極性を有していることを意味している。疑似雑音信号と対象雑音信号とは略同じ信号レベルを有していてもよく、互いに異なる信号レベルを有していてもよい。また、疑似雑音信号は、対象雑音信号の信号レベルと所定の比率で異なる信号レベルを有していてもよい。疑似雑音信号の生成について、以下に説明する。
【００２４】
第２信号Ｓ２には、種々の要素によって雑音が重畳する。例えば、信号処理回路１が用いられる電気機器の内部の電源ラインの電位の変動によって、その電源ラインから電力供給を受けて出力される信号に電源ラインの電位変動に伴う雑音信号が重畳することがある。また、信号処理回路１が用いられる電気機器の内部又は外部の電場や磁場によって第２信号Ｓ２に雑音信号が重畳することもある。従って、例えば、第２信号Ｓ２を生成する回路要素と電源を共用する回路要素（例えば第２信号Ｓ２を生成する集積回路装置（ＩＣ））によって、疑似雑音信号を含む基準信号Ｓｒを生成することができる。或いは、疑似雑音信号は、第２信号Ｓ２を生成する回路要素と共に特定の電磁環境下に置かれた回路要素によって生成され、疑似雑音信号を含む基準信号Ｓｒが当該回路要素から出力されてもよい。
【００２５】
増幅部２は、第１入力端２ａで受信される基準信号Ｓｒと第２入力端２ｂで受信される第２信号Ｓ２との差分を増幅する。基準信号Ｓｒは疑似雑音信号を含んでいるため、増幅部２の差動増幅を通じて第２信号Ｓ２から疑似雑音信号分の対象雑音信号が差し引かれる。その結果、第２信号Ｓ２中の増幅対象の信号の増幅時に、意図せずに対象雑音信号が増幅されることが抑制される。さらには対象雑音信号が増幅部２による第２信号Ｓ２の増幅を通じて略解消されると、より好ましい。従って、雑音の少ない第２信号Ｓ２の増幅信号を得ることができる。
【００２６】
一方、第１入力端２ａは、基準信号Ｓｒを受信しないときであって第２入力端２ｂによる第２信号Ｓ２の受信のないときに第１信号Ｓ１を受信する。第１入力端２ａが第１信号Ｓ１を受信するときは、第２信号Ｓ２は０Ｖ若しくはグランド電位である。従って、増幅部２は、第１信号Ｓ１を増幅する。このようにして第１信号Ｓ１も増幅部２によって増幅される。
【００２７】
本実施形態では、このように増幅部２は、時分割で第１信号Ｓ１及び第２信号Ｓ２それぞれを増幅し、特に第２信号Ｓ２の増幅では、基準信号Ｓｒとの差分を増幅する。そのため、前述したように、第１信号Ｓ１及び第２信号Ｓ２それぞれを、一つの増幅手段（増幅部２）で増幅することができ、しかも、増幅対象の信号の増幅時に対象雑音信号を増幅してしまうことを抑制することができる。
【００２８】
図１の例において、第１入力端２ａ及び第２入力端２ｂは、互いに異なる信号源で生成された第１信号Ｓ１及び第２信号Ｓ２をそれぞれ受信する。第１信号Ｓ１は第１信号源Ｇ１で生成され、第２信号Ｓ２は第２信号源Ｇ２で生成されている。基準信号Ｓｒは、第２信号Ｓ２と共に第２信号源Ｇ２で生成されている。第１信号源Ｇ１及び第２信号源Ｇ２は、電気信号を生成し得る任意の電気部品又は機能モジュールなどであってよい。例えば、第１信号源Ｇ１及び第２信号源Ｇ２の一方は、信号処理回路１が用いられる電気機器の動作を制御する中央処理装置（メインＣＰＵ）であってよく、第１信号源Ｇ１及び第２信号源Ｇ２の他方は、そのメインＣＰＵを補助又はバックアップするサブＣＰＵであってもよい。また、例えば、第１信号源Ｇ１及び第２信号源Ｇ２の一方が電気機器の全体的な動作を制御するマイコンであり、他方が当該電気機器の特定の機能（例えば、通信機能、表示機能、メモリ制御機能など）を制御するモジュールであってもよい。図１の例において、増幅部２は、第１信号Ｓ１及び第２信号Ｓ２それぞれの増幅後の信号を、任意の機能を有する出力先要素Ｅｏに出力する。
【００２９】
第１信号Ｓ１及び第２信号Ｓ２は、振幅などの信号レベルが増幅部２で増幅される信号でさえあれば、任意の情報を含む信号であってよい。第１及び第２の信号Ｓ１、Ｓ２はデジタル信号であってもよく、アナログ信号であってもよい。例えば、第１及び第２の信号Ｓ１、Ｓ２は、スピーカなどから音声として発せられるべき情報を含む、可聴帯域の周波数を有する音声信号である。第１及び第２の信号Ｓ１、Ｓ２は、マイクなどで集音された音声に関する情報を含む音声信号であってもよい。第１及び第２の信号Ｓ１、Ｓ２が音声信号である場合、出力先要素Ｅｏは、例えば、スピーカなどの音響発生装置であってもよい。なお、第１及び第２の信号Ｓ１、Ｓ２は、撮像装置で撮像された映像に関する情報若しくは表示装置で表示される映像に関する情報を含む映像信号であってもよく、温度、湿度、特定ガス、光、又は臭気、などを検知するセンサの検知信号であってもよい。
【００３０】
増幅部２は、前述したように主に差動増幅回路によって構成される。増幅部２を構成する差動増幅回路は、シングルエンド出力の差動増幅回路であってもよく、差動出力を有する差動増幅回路であってもよい。例えば、増幅部２は、電力効率の高いクラスＤアンプに分類される差動増幅器によって構成される。増幅部２を構成する差動増幅回路には、ＩＣとして集積化された差動増幅器が用いられてもよく、複数のトランジスタなどの組み合わせによって、差動増幅回路を含む増幅部２が形成されてもよい。
【００３１】
図２には、一実施形態の信号処理回路の具体的な構成の一例が示されている。図２の例において増幅部２は、主に、一対の差動出力（正出力端子２１ａ及び負出力端子２１ｂ）を有する差動増幅器２１によって構成されている。増幅部２の第１入力端２ａは、差動増幅器２１の正入力端子（非反転入力端子）であり、第２入力端２ｂは、差動増幅器２１の負入力端子（反転入力端子）である。図１の例と同様に、第１入力端２ａには、第１入力回路１１及び第３入力回路１３が備えられ、第２入力端２ｂには、第２入力回路１２が備えられている。
【００３２】
第１入力回路１１は第１抵抗Ｒ１を含み、第２入力回路１２は第２抵抗Ｒ２を含み、第３入力回路１３は第３抵抗Ｒ３を含んでいる。さらに、第１〜第３の入力回路１１、１２、１３は、それぞれ、コンデンサＣを含んでいる。第１〜第３の抵抗Ｒ１、Ｒ２、Ｒ３は、それぞれ、コンデンサＣと直列接続されている。コンデンサＣを各入力回路中に直列に配置することによって、第１信号Ｓ１、第２信号Ｓ２、及び基準信号Ｓｒ中の直流成分を遮断することができる。例えば基準信号Ｓｒでは、基準信号Ｓｒ中の疑似雑音信号の成分だけが、第１入力端２ａに入力される。
【００３３】
差動増幅器２１には、第１入力端２ａ（正入力端子）と負出力端子２１ｂとの間の帰還抵抗として第４抵抗Ｒ４が接続され、第２入力端２ｂ（負入力端子）と正出力端子２１ａとの間の帰還抵抗として第５抵抗Ｒ５が接続されている。正出力端子２１ａと負出力端子２１ｂとの電位差を振幅とする出力信号が出力先要素Ｅｏへと出力される。
【００３４】
図２の例において、差動増幅器２１の開ループゲインが１よりも十分に大きく、さらに、（ｒ１//ｒ３）とｒ２とが略等しく、ｒ４とｒ５とが略等しい場合の増幅部２のゲインについて説明する。なお、ｒ１〜ｒ５は、第１〜第５の抵抗Ｒ１〜Ｒ５それぞれの抵抗値であり、（ｒ１//ｒ３）は、第１抵抗Ｒ１と第３抵抗Ｒ３との合成抵抗である。なお、一般的に、差動増幅器の開ループゲインは１よりも遥かに大きく、また、上記抵抗値間の略等値の関係が満たされることにより、差動増幅器の正負両側の帰還の平衡が保たれ、安定した増幅動作を得ることができる。
【００３５】
上記の条件下において、第３入力回路１３に入力される信号（基準信号Ｓｒ）に対する増幅部２の増幅率Ａ１（第１ゲイン）は、第１入力回路１１及び第２入力回路１２に０Ｖが入力されている場合、（ｒ４／ｒ３）に略等しい（なお、第２及び第３入力回路１２、１３に０Ｖが入力されている場合に第１入力回路１１に入力される信号に対する増幅部２の増幅率は（ｒ４／ｒ１）に略等しい）。すなわち、第１〜第３の入力回路１１、１２、１３それぞれに入力される信号の信号レベルがそれぞれＶｉ１、Ｖｉ２、Ｖｉ３であり、正出力端子２１ａ及び負出力端子２１ｂから出力される信号の信号レベルがそれぞれＶｏ１、Ｖｏ２である場合、（Ｖｏ１−Ｖｏ２）＝Ａ１×（Ｖｉ３−Ｖｉ２）＝Ａ１×Ｖｉ３である。同様に、第２入力回路１２に入力される信号に対する増幅部２の増幅率Ａ２（第２ゲイン）は、第１入力回路１１及び第３入力回路１３に０Ｖが入力されている場合、（ｒ２／ｒ５）に略等しく、（Ｖｏ１−Ｖｏ２）＝Ａ２×Ｖｉ２である。このように、増幅部２は、基準信号Ｓｒに対する第１ゲイン（増幅率：ｒ４／ｒ３）及び第２信号Ｓ２に対する第２ゲイン（増幅率：ｒ２／ｒ５）を有し得る。
【００３６】
本実施形態における増幅部２は、互いに異なる第１ゲイン及び第２ゲインを有していてもよい。その理由を、図３を参照して説明する。図３には、第２信号Ｓ２を出力する任意の回路要素（図示せず）の出力回路Ｂの構成の一例が示されている。図３の出力回路Ｂでは、電源ラインＶｄ（電位Ｖｄｄ）とＧＮＤとの間に分圧抵抗Ｒａ（抵抗値ｒａ）と分圧抵抗Ｒｂ（抵抗値ｒｂ）とが直列に接続されている。そして、不特定の基準電圧を中心にスイングするように生成された交流信号Ｓ２０が、コンデンサＣｃを介して、さらに、分圧抵抗Ｒａと分圧抵抗Ｒｂとの中点を介して出力される。（Ｖｄｄ×ｒｂ）／（ｒａ＋ｒｂ）＝Ｖｔ２で定まる電位を中心にスイングする出力信号（第２信号Ｓ２）が出力される。この際、電源ラインＶｄにノイズＮ１が含まれていると、第２信号Ｓ２にもノイズＮ２が重畳し得る。しかし、ノイズＮ２は、ノイズＮ１に対して、ｒｂ／（ｒａ＋ｒｂ）だけ減衰したレベルを有する。従って、ノイズＮ１に基づくノイズＮ２が第２信号Ｓ２に重畳されても、第２信号Ｓ２は、電源ラインＶｄのノイズＮ１よりも小さいノイズＮ２を含み得る。
【００３７】
一方、第２信号Ｓ２を出力する回路要素から基準信号Ｓｒが出力される場合、例えば、その回路要素内の電源ラインＶｄそのものが、単にバッファを介して基準信号Ｓｒとして出力され得る。そうすることによって、基準信号Ｓｒは、電源ラインＶｄが含むノイズＮ１と略同じ大きさのノイズ（疑似雑音信号）を含み得る。しかしその場合、前述したように、第２信号Ｓ２が電源ラインＶｄのノイズＮ１よりも小さいノイズ（対象雑音信号）を含み得るため、増幅部２が第２信号Ｓ２と基準信号Ｓｒに対して同じゲインを有すると、対象雑音信号を適切に解消できないことがある。従って、増幅部２は、基準信号Ｓｒの疑似雑音信号と第２信号Ｓ２の対象雑音信号との大きさの違いに応じた差分だけ互いに異なる第１ゲイン及び第２ゲインを有していてもよい。このように、増幅部２が互いに異なる第１ゲイン及び第２ゲインを有していると、第２信号Ｓ２及び基準信号Ｓｒを出力する回路要素（図示せず）において、例えば基準信号Ｓｒのための分圧抵抗を省略できることがある。
【００３８】
図３に示す出力回路Ｂにおいて、分圧抵抗Ｒａの抵抗値ｒａと分圧抵抗Ｒｂの抵抗値ｒｂとが略同じ場合、第２信号Ｓ２は、電位Ｖｄｄの略１／２の電位を中心にスイングする。そして、第２信号Ｓ２に重畳するノイズＮ２（対象雑音信号）のレベルは電源ラインＶｄに含まれるノイズＮ１（基準信号Ｓｒが含み得る疑似雑音信号）のレベルの略１／２となる。その場合、増幅部２は、第２ゲインの増幅率の略半分の増幅率となる第１ゲインを有していてもよい。これに限らず、第１ゲインと第２ゲインとは、増幅率に関して、対象雑音信号と基準雑音信号との信号レベルの違いに応じた差異を有し得る。疑似雑音信号の信号レベルが対象雑音信号の信号レベルに対してＸ倍大きいときは、第２ゲインの増幅率は第１ゲインの増幅率よりもＮ倍大きくてもよい。
【００３９】
前述したように、第１ゲイン及び第２ゲインは、第１〜第５の抵抗Ｒ１〜Ｒ５の抵抗値ｒ１〜ｒ５によって調整することができる。例えば、抵抗値ｒ４と抵抗値ｒ５とが略同じ場合、第１ゲインの増幅率を第２ゲインの増幅率の略１／Ｘにすべく、抵抗値ｒ３は抵抗値ｒ２のＸ倍の値であってもよい。例えば疑似雑音信号の信号レベルが対象雑音信号の信号レベルの２倍である場合、抵抗値ｒ３は抵抗値ｒ２の略２倍の値であってもよい。
【００４０】
一方、前述したように、差動増幅器２１の平衡性を維持するためには、図２の例における各抵抗の抵抗値に関して、（ｒ１//ｒ３）とｒ２とが略等しいことが好ましい。従って、例えば抵抗値ｒ３が抵抗値ｒ２の２倍である場合、抵抗値ｒ１も抵抗値ｒ２の略２倍、すなわち、抵抗値ｒ３と略同じであってもよい。このように、対象雑音信号の略２倍の信号レベルを有する疑似雑音信号を含む基準信号Ｓｒが生成される場合、差動増幅器２１の正負の帰還の平衡性を維持しながら、対象雑音信号の十分な解消が可能なゲインの設定を、シンプルな抵抗値の選択によって実現することができる。
【００４１】
図４には、本実施形態の信号処理回路１の入出力信号の波形の一例が示されている。図４において、最上段から順に、第１入力回路１１（図２参照）に入力される信号（第１信号Ｓ１）、第２入力回路１２に入力される信号（第２信号Ｓ２）、及び、第３入力回路１３に入力される信号（基準信号Ｓｒ）それぞれの一例が示されている。そして、図４の最下段には、増幅部２の出力信号Ｓｏの一例が示されている。
【００４２】
図４の例において、第１信号Ｓ１は、電位Ｖｔ１を中心にスイングする交流信号であり、第２信号Ｓ２は、電位Ｖｔ２を中心にスイングする交流信号である。第２信号Ｓ２には、意図せず重畳されてしまった雑音信号、すなわち、本実施形態の信号処理回路において増幅が抑制される対象雑音信号Ｓｎｔが含まれている。基準信号Ｓｒは、電位Ｖｔ３を有する一定レベルの信号であるが、対象雑音信号Ｓｎｔに対応する疑似雑音信号Ｓｎｐを含んでいる。なお、電位Ｖｔ３（例えば３．３Ｖ）は、電位Ｖｔ２（例えば１．６５Ｖ）の略２倍であり、疑似雑音信号Ｓｎｐは対象雑音信号Ｓｎｔの略２倍の信号レベルを有している。また、図４の例に示される出力信号Ｓｏを出力する増幅部２は、前述したように、第２ゲインの増幅率の略１／２の増幅率となる第１ゲインを有している。
【００４３】
図４の第１期間Ｔ１において、第１信号Ｓ１が入力される。すなわち、第１入力端２ａが、第１入力回路１１を介して第１信号Ｓ１を受信する（図２参照）。一方、第２入力端２ｂが受信する第２信号Ｓ２は０Ｖである。従って、増幅部２によって、第１信号Ｓ１が増幅され、第１信号Ｓ１に基づく出力信号Ｓｏ１が出力されている。なお、第１期間Ｔ１において、例えば、第２入力回路１２に上記電位Ｖｔ２の定電位が入力され、第３入力回路１３に上記電位Ｖｔ３の定電位が入力されていてもよい。
【００４４】
第２期間Ｔ２では、第１信号Ｓ１は入力されていない。第１信号Ｓ１の出力源（図示せず）は０Ｖを出力している。そして、第２期間Ｔ２中の期間Ｔ２１において、第２信号Ｓ２が入力される。すなわち、第２入力端２ｂは、第２入力回路１２を介して第２信号Ｓ２を受信する。また、期間Ｔ２１において基準信号Ｓｒが入力されている。すなわち、第１入力端２ａは第３入力回路１３を介して基準信号Ｓｒを受信する。従って、増幅部２は、基準信号Ｓｒと第２信号Ｓ２との差電圧を増幅する。なお、基準信号Ｓｒの直流成分は、第３入力回路１３内のコンデンサＣ（図２参照）によって遮断され得る。
【００４５】
この際、増幅部２が第２ゲインの増幅率の略１／２の増幅率となる第１ゲインを有しているため、疑似雑音信号Ｓｎｐは、対象雑音信号Ｓｎｔとの関係において相対的に減衰する。その結果、対象雑音信号と略同じ信号レベルを有する疑似雑音信号分だけ、第２信号Ｓ２から対象雑音信号が除去される。そして、図４に示されるように、好ましくは、雑音信号が略重畳していない、第２信号Ｓ２に基づく出力信号Ｓｏ２が出力される。このようにして、対象雑音信号の増幅が抑制され、増幅対象の信号だけが主に増幅される。
【００４６】
図４において第３期間Ｔ３では、第１期間Ｔ１と同様に第１信号Ｓ１が入力されており、第２信号Ｓ２及び基準信号Ｓｒは入力されない。増幅部２からは、第１信号Ｓ１に基づく出力信号Ｓｏ１が出力されている。
【００４７】
図５には、本実施形態の信号処理回路の他の例を示すブロック図が示されている。図５の例では、第１入力端２ａは復調回路３を備えている。図５の例の復調回路３は、コンデンサＣｄと抵抗Ｒｄとを含んでおり、第１入力回路１１を介して第１入力端２ａに接続されている。復調回路３は、抵抗Ｒｄを介したコンデンサＣｄの充放電によってデジタル信号をアナログ信号に変換する。例えば、パルス幅変調（ＰＷＭ）によってデジタル信号（ＰＷＭ信号）に変調された第１信号Ｓ１がアナログ信号に復調される。復調回路３を備えることによって、ＰＷＭ信号のようなデジタル信号（第１信号Ｓ１）、及びアナログ信号である第２信号Ｓ２それぞれを一つの増幅部２を用いて増幅することができる。なお、復調回路３は、第２信号Ｓ２がＰＷＭ信号のようなデジタル信号である場合、第２入力端２ｂに備えられていてもよい。その場合、第２入力端２ｂに備えられる復調回路と等価の復調回路が、第３入力回路１３を介して第１入力端２ａに備えられる。図５の例の信号処理回路１は、復調回路３を含む点を除いて、図２の例の信号処理回路１と同様の構成を有する。図５の例において図２の例と同じ構成要素には、図２に付された符号と同じ符号が付され、その説明は省略される。
【００４８】
なお、図１〜図５を参照する以上の説明では、第１入力端２ａが、疑似雑音信号を含む基準信号Ｓｒを受信する例が説明された。本実施形態の信号処理回路１では、さらに、第２入力端２ｂが、第１信号Ｓ１に重畳する雑音信号に対応する信号を含む第２基準信号を受信してもよい。そして、増幅部２での第１信号Ｓ１の増幅において、第１信号Ｓ１に重畳している雑音信号の増幅が、第２基準信号を用いて抑制されてもよい。
【００４９】
次に、本発明の一実施形態の警報器を、図６を参照して説明する。図６には、本発明の一実施形態の警報器１００の構成の一例がブロック図の形式で示されている。
【００５０】
図６に示されるように、警報器１００は、周囲環境の変化を検知する検知部１０３と、
警報器１００の内部又は外部の情報に基づいて音響を発する報知部１０４と、警報の発報を制御する第１制御部１０１と、警報器１００と外部の機器Ｅｉとの交信を制御する第２制御部１０２と、音声信号処理部１１１と、を備えている。警報器１００は、周囲環境の変化を検知して、使用者にその変化の状況を報せ、また、異常発生時には使用者に適切な対処を促すべく警報を発する。音声信号処理部１１１は、報知部１０４において発せられる音響の元となる音声信号（第１音声信号ＳＳ１及び第２音声信号ＳＳ２）を処理する。
【００５１】
音声信号処理部１１１は、図１〜図５を参照して説明した一実施形態の信号処理回路１を含んでいる。すなわち、音声信号処理部１１１は、第１入力端２ａ及び第２入力端２ｂを備えていて第１入力端２ａ及び第２入力端２ｂのそれぞれに入力される信号を増幅する増幅部２を備えている。図６の例では、図２の例の信号処理回路１と同様に、第１入力端２ａに第１入力回路１１及び第３入力回路１３が備えられている。第２入力端２ｂには第２入力回路１２が備えられている。さらに、第１入力端２ａは、図５の例と同様に、第１入力回路１１を介して第１入力端２ａに接続されている復調回路３を備えている。第１入力端２ａに、第１入力回路１１を介して第１音声信号ＳＳ１が入力され、第２入力端２ｂに、第２入力回路１２を介して、第２音声信号ＳＳ２が入力される。第１入力端２ａには、さらに、第３入力回路１３を介して、第２音声信号ＳＳ２に重畳する雑音信号に対応する信号を含む基準信号ＳＳｒが入力される。増幅部２は、図１などに例示される信号処理回路１内の増幅部２と同様に、第２音声信号ＳＳ２の増幅において基準信号ＳＳｒを用いて第２音声信号ＳＳ２に重畳する雑音信号の増幅を抑制する。
【００５２】
図６の例の音声信号処理部１１１を構成する信号処理回路１は、第１及び第２の音声信号ＳＳ１、ＳＳ２、並びに基準信号ＳＳｒに対して、第１及び第２の信号Ｓ１、Ｓ２、並びに基準信号Ｓｒに対する図２の例の信号処理回路１と同様に機能及び作用し、同様の効果をもたらす。また、図６の音声信号処理部１１１に含まれる復調回路３は、第１音声信号ＳＳ１に対して、第１信号Ｓ１に対する図５の例の復調回路３と同様に作用する。警報器１００に含まれる信号処理回路１の説明は省略するが、図１〜図５を参照して説明された信号処理回路１についての説明は、警報器１００内の信号処理回路１（音声信号処理部１１１）に適用され得る。
【００５３】
第１音声信号ＳＳ１は、後述するように、警報器１００内に保有するデータに基づいて生成され、音声信号処理部１１１（第１入力端２ａ）に入力される。第２音声信号ＳＳ２は、第１入力端２ａへの第１音声信号ＳＳ２の入力の無いときに音声信号処理部１１１（第２入力端２ｂ）に入力される。第１音声信号ＳＳ１は、第２入力端２ｂへの第２音声信号ＳＳ２の入力の無いときに、第１入力端２ａに入力される。第１入力端２ａは、第１音声信号ＳＳ１と基準信号ＳＳｒとによって共用されており、基準信号ＳＳｒは、第１音声信号ＳＳ１の第１入力端２ａへの入力の無いときに、第１入力端２ａに入力される。第１入力端２ａには、第２入力端２ｂへの第２音声信号ＳＳ２の入力中に、基準信号ＳＳｒが入力される。第２音声信号ＳＳ２は、後述するように、警報器１００の外部からの情報に基づいて生成される。
【００５４】
検知部１０３は、警報器１００の周囲の監視対象領域の物理現象を監視してその結果を出力する各種のセンサから構成される。各種のセンサは、たとえば、一酸化炭素（ＣＯ）ガス、メタンガス（ＣＨ4）又はプロパンガス（Ｃ3Ｈ8）を検知する各種ガスセンサ、サーミスタなどからなる温度センサ、湿度センサ、又は煙センサ、臭気センサなどであってよく、１つ又は複数個のセンサで検知部１０３が構成されていてもよい。
【００５５】
報知部１０４は、たとえば、スピーカ及び／又はブザー、発光ダイオード（ＬＥＤ）、並びに、液晶などによる表示パネルなどの、警報器１００の使用者への報知手段によって構成される。報知部１０４は、例えば、検知部１０３の検知結果に基づいて、音及び／又は光を発することにより警報を発する。報知部１０４は、警報器１００の状態や、警報を発するに至らない監視領域の変化を使用者などに知らせるために動作してもよい。本実施形態の警報器１００では、報知部１０４は、音声によって警報もしくは所望の情報を使用者に伝えるべく、少なくともスピーカやブザーなどの音響生成装置を含んでいる。報知部１０４から発せられる音声の元となる情報は、以下に示すように、警報器１００の内部の記憶装置（図示せず）に記録されていてもよく、警報器１００の外部から取得されてもよい。
【００５６】
第１制御部１０１は、例えば、市販のマイコンやＡＳＩＣなどの半導体装置などを含み、マイコンなどに内蔵されたプログラムに従って、演算、比較、計時、及び記憶などの各種の情報処理を実行する。そして、本実施形態における第１制御部１０１は、検知部１０３の検知結果に基づいて第１音声信号ＳＳ１を出力する。第１音声信号ＳＳ１は、例えば、検知部１０３が周囲環境の異常を検知したときに、警報として発せられる情報に基づいて生成される。第１音声信号ＳＳ１の元となる情報は、例えば、第１制御部１０１内又は警報器１００内に備えられている記憶装置（図示せず）内に記録されている。例えば、記憶装置には、「ガスが漏れています」（データ１）、「ウー、ウー、ウー、火事です」（データ２）、及び「ピッ、ピッ、ピッ、熱中症のリスクが高まっています」（データ３）などの音声に、報知部１０４によって変換され得るデータが記憶されている。検知部１０３によって、所定の閾値以上の濃度の各種有毒ガスが検出されると、第１制御部１０１はデータ１に基づいて第１音声信号ＳＳ１を生成して出力する。また、第１制御部１０１は、例えば検知部１０３が、火事を検知するとデータ２に基づいて、また、検知部１０３が閾値以上の温度及び湿度を検知するとデータ３に基づいて、それぞれ第１音声信号ＳＳ１を生成して出力してもよい。
【００５７】
第１制御部１０１は、前述したＰＷＭ信号の形で第１音声信号ＳＳ１を出力してもよい。図６の例の音声信号処理部１１１はＰＷＭ信号の復調回路３を備えているので、ＰＷＭ信号はアナログ信号に変換されて増幅部２に入力される。なお、第１制御部１０１が第１音声信号ＳＳ１としてアナログ信号を出力する場合は、復調回路３は設けられなくてもよい。
【００５８】
第２制御部１０２は、外部の機器Ｅｉとの任意の通信形態による交信を制御し、例えば、警報器１００内の信号と通信可能な信号との間の相互変換などを実施する。第２制御部１０２は、例えば、集積回路装置や個々の電気部品からなる電気回路などで構成される。第２制御部１０２は、例えば、無線ＬＡＮによってルータやＬＡＮサーバと交信してもよく、これらの中継機器を介して、インターネット上の各種の機器と交信してもよい。また、無線による外部の機器Ｅｉとの交信には、Ｂｌｕｅｔｏｏｔｈ（登録商標）などの近距離無線通信技術、又はＷｉ−Ｆｉ（登録商標）などの無線ＬＡＮ規格に基づく各種の通信技術が用いられてもよい。その場合、第２制御部１０２には、ＢｌｕｅｔｏｏｔｈモジュールやＷｉ−Ｆｉモジュールとしてパッケージ化された各種の通信モジュールが用いられてもよい。
【００５９】
第２音声信号ＳＳ２は、第２制御部１０２によって、警報器１００の外部からの情報に基づいて生成される。すなわち、第２制御部１０２は、外部の機器Ｅｉとの交信によって取得した情報に基づいて第２音声信号１０２を生成して出力する。例えば、第２制御部１０２は、外部の機器Ｅｉを介して、クラウドサーバなどのインターネット上の各種機器から取得した情報に基づいて、警報器１００に記憶されている音声データを用いて第２音声信号ＳＳ２を生成してもよく、外部の機器Ｅｉを介して、クラウドサーバなどのインターネット上の各種機器から音声データを取得して第２音声信号ＳＳ２を生成してもよい。また、第２制御部１０２は、検知部１０３が取得した情報を外部の機器Ｅｉに送信し、その情報に基づく第２音声信号ＳＳ２を生成してもよい。例えば、天気状況、交通状況、又は時事などに関する情報が外部の機器Ｅｉから取得され、これらの情報に基づいて、第２音声信号ＳＳ２が生成されてもよい。第２音声信号ＳＳ２は、例えば、第２制御部１０２を構成する集積回路装置や通信モジュールが備えるＤ／Ａコンバータでアナログ信号に変換されて第２制御部１０２から出力される。
【００６０】
第２制御部１０２は、このように外部との通信を通じて、例えばアナログ信号である第２音声信号ＳＳ２を生成する。外部との通信を行う場合、第２制御部１０２を構成する集積回路装置や通信モジュール内を流れる電流は時々刻々と変化する。そのため、通信モジュールなどの内部の電源ラインの電位が変動し、先に図３を参照して説明したように、第２音声信号ＳＳ２に雑音信号（対象雑音信号）が重畳することがある。そこで、第２制御部１０２は、第２音声信号ＳＳ２と共に基準信号ＳＳｒを出力する。対象雑音信号に対応する雑音信号（疑似雑音信号）を含む基準信号ＳＳｒは、例えば、第２制御部１０２を構成する通信モジュールなどの電源ラインの電位そのものを用いたり、電源ラインから取り出した信号をバッファに通したりして生成される。
【００６１】
また、第２音声信号ＳＳ２は、図３を参照して説明したように、通信モジュールなどの出力回路において分圧抵抗を用いて、電源ラインの電位の略１／２の電位を中心にスイングするように出力され得る。その場合、第２音声信号ＳＳ２は、電源ラインのノイズのレベル、すなわち、疑似雑音信号の信号レベルの略１／２の信号レベルを有する対象雑音信号を含み得る。そのように第２制御部１０２が第２音声信号ＳＳ２及び基準信号ＳＳｒを生成して出力することによって、前述したように、第２ゲインに対して略１／２の増幅率となる第１ゲインを有する増幅部２において効果的に対象雑音信号の増幅を抑制することができる。さらに、単に、第１抵抗Ｒ１及び第３抵抗Ｒ３それぞれについて（図２参照）、第２抵抗Ｒ２の抵抗値の略２倍の抵抗値を選択するだけで、増幅部２を構成する差動増幅器２１（図２参照）の正負両側の帰還を平衡させて安定した動作を得ることができる。
【００６２】
第１制御部１０１は、第１音声信号ＳＳ１の出力時には第２制御部１０２による第２音声信号ＳＳ２及び基準信号ＳＳｒの出力を停止させる。そのため、前述したように、第２音声信号ＳＳ２は、第１入力端２ａへの第１音声信号ＳＳ１の入力が無いときに、第２入力端２に入力される。例えば、第１制御部１０１を構成するマイコンなどは、第１音声信号ＳＳ１を出力するときには、所定の出力ポートから、第２音声信号ＳＳ２及び基準信号ＳＳｒの出力を禁止する若しくは停止させる信号を第２制御部１０２に送出する。
【００６３】
例えば、先に参照した図４の各信号波形の例における期間Ｔ２１の終了時に、第１制御部１０１から、第２制御部１０２に、第２音声信号ＳＳ２及び基準信号ＳＳｒの出力を停止させる信号が送られる。第２制御部１０２は、第１制御部１０１からのこの信号を受けて、第２音声信号ＳＳ２及び基準信号ＳＳｒの出力を停止させる。その後、第３期間Ｔ３において、第１制御部１０１から第１音声信号ＳＳ１が出力される。
【００６４】
このように第１制御部１０１が第２制御部１０２を制御することによって、天気などに関する第２音声信号ＳＳ２に基づく音声が報知部１０４から発せられている場合に警報の発報が必要となった場合でも、適切に、警報を意味する音声が、報知部１０４から発せられる。すなわち、第１制御部１０１は、第２音声信号ＳＳ２に基づく音声が発せられている間であっても、緊急度を判定して、第２音声信号ＳＳ２に基づく発声を停止させ、第１音声信号ＳＳ１に基づく発生を報知部１０４に行わせる。警報器という機器の性質上、警報器１００は、その本質的機能（警報機能）や重要な機能（機器故障判定機能）に関するメッセージのデータをその内部に保有している。警報器１００内に保有するデータに基づく第１音声信号ＳＳ１の方が、第２音声信号ＳＳ２よりも緊急度が高く、第１音声信号ＳＳ１に基づく音声が優先的に発せられる。なお、このような本質的機能や重要な機能以外のメッセージのデータも警報器１００内に保有していてもよいが、相応のコストの上昇を伴い得るため外部から適宜取得する方が有益なことがある。
【００６５】
なお、第２制御部１０２は、第２音声信号ＳＳ２を出力している間、第２音声信号ＳＳ２を出力中であることを第１制御部１０１に所定の信号を送ることによって報せてもよい。より確実に、音声信号処理部１１１における二つの音声信号の混信を防ぐことができる。
【００６６】
本実施形態の警報器１００では、第１音声信号ＳＳ１に基づく発声と第２音声信号ＳＳ２に基づく発声との切替時において雑音を発しないように、また、万一両信号が混信した場合でも、バリ音のような雑音を発しないように、第１制御部１０１及び／又は第２制御部１０２において、ソフトウェア上での調整が行われてもよい。第２制御部１０２は、第１制御部１０１から第２音声信号ＳＳ２などの出力を禁止する信号が出された場合に、所定の時間（例えば０．５秒）以内に第２音声信号ＳＳ２などの出力を停止するように設定されてもよい。
【００６７】
上記の説明では、警報器１００内に保有するデータに基づく音声信号と外部から取得するデータに基づく音声信号とが音声信号処理部１１１に入力される例を説明したが、これに限らない。外部から取得するデータに基づく音声信号の入力が二つある場合、すなわち、第１音声信号ＳＳ１が、警報器１００内に保有するデータに基づく音声信号に代えて、別の外部から取得するデータに基づく音声信号である場合でも、本実施形態の技術は適用可能である。また、音声信号が、警報器１００内に保有するデータに基づく音声信号か、外部から取得するデータに基づく音声信号かに関わらず、三つ以上の音声信号が音声信号処理部１１１に入力される場合でも、本実施形態の技術は適用可能である。
【００６８】
以上説明したように、本実施形態の警報器１００では、一つの増幅部２において、互いに異なる信号源で生成された二つ以上の音声信号を、時分割で適切に増幅して報知部１０４から発することができる。
【００６９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更（変形例）が含まれる。
【符号の説明】
【００７０】
１    信号処理回路
１１  第１入力回路
１２  第２入力回路
１３  第３入力回路
２    増幅部
２１  差動増幅器
２ａ  第１入力端
２ｂ  第２入力端
３    復調回路
１００  警報器
１０１  第１制御部
１０２  第２制御部
１０３  検知部
１０４  報知部
１１１  音声信号処理部
Ｅｉ    外部の機器
Ｓ１    第１信号
Ｓ２    第２信号
ＳＳ１  第１音声信号
ＳＳ２  第２音声信号
Ｓｒ、ＳＳｒ  基準信号
【要約】
【課題】二つの音声信号を少ない構成要素で適切に取り扱うことができる信号処理回路及び警報器を提供する。
【解決手段】信号処理回路１は、第１入力端２ａ及び第２入力端２ｂを備えていて各入力端において受信する信号を増幅する増幅部２を備え、第１入力端２ａは、第１音声信号ＳＳ１を受信し、第２入力端２ｂは、第１入力端２ａによる第１音声信号ＳＳ１の受信の無いときに、第２音声信号ＳＳ２を受信し、第１入力端２ａは、さらに、第２音声信号ＳＳ２に重畳する雑音信号に対応する信号を含む基準信号ＳＳｒを受信し、増幅部２は、第２音声信号ＳＳ２の増幅において基準信号ＳＳｒを用いて雑音信号の増幅を抑制する。警報器１００は、検知部１０３と、報知部１０４と、音声信号処理部１１１と、を少なくとも備え、音声信号処理部１１１は、上記信号処理回路１と同様に機能する。
【選択図】図６【図１】
0006637633.tif 000002
【図２】
0006637633.tif 000003
【図３】
0006637633.tif 000004
【図４】
0006637633.tif 000005
【図５】
0006637633.tif 000006
【図６】
0006637633.tif 000007